(57)【要約】      （修正有）【課題】オーバーフローが可能で、木板の濡れ渇きにより伸び縮みを生じて互いに隣接する板間に大きな隙間を生じない、移動可能な浴槽を提供する。【解決手段】浴槽を二重構造にして、内部の浴槽を取り出し可能にして、外部浴槽を内部浴槽より高くして、しかも内部浴槽と外部浴槽との隙間に敷いているオーバーフロー用板に面積当たり３０〜７０％で板面を切り抜いた湯水通過の空間部を設けている。【選択図】図１
0003163206.tif 000002
【実用新案登録請求の範囲】
【請求項１】
木製の浴槽において、浴槽を二重構造になって、内部の浴槽を取り出し可能にしていることを特徴とするオーバーフロー可能な木製浴槽。
【請求項２】
木製の浴槽において、浴槽を二重構造になって、湯水がオーバーフローできて、外部の浴槽内に溢れるようにしていて、内部浴槽より高くして、しかも内部浴槽と外部浴槽との隙間が３０〜７０％空いていることを特徴とする請求項１に記載のオーバーフロー可能な木製浴槽
【請求項３】
木製の浴槽において、浴槽を二重構造になって、内部浴槽の容積を０．５〜２ｍ３であって、しかも内部浴槽と外部浴槽との間隔を１０〜１００ｍｍにしていることを特徴とする請求項１又は請求項２に記載のオーバーフロー可能な木製浴槽
【請求項４】
木製の浴槽において、浴槽を二重構造になって外部の浴槽の側面を、内部浴槽より３０〜１００ｍｍ高くしていることを特徴とする請求項１〜請求項３にいずれかに記載のオーバーフロー可能な木製浴槽
【請求項５】
木製の浴槽において、浴槽を二重構造にし、外部の浴槽の底に排水口と固定脚を取り付けて、移動を容易にしていることを特徴とする請求項１〜請求項４のいずれかに記載のオーバーフロー可能な木製浴槽
【請求項６】
木製の浴槽において、浴槽の材質として、桐、檜、杉，ヒバであって、厚さ２０〜５０ｍｍの板材を使用していることを特徴とする請求項１〜請求項５のいずれかに記載のオーバーフロー可能な木製浴槽
【考案の詳細な説明】
【技術分野】
【０００１】本考案は木製浴槽、特に漏れのないオーバーフロー可能な木製浴槽に関するものである。
【背景技術】
【０００２】従来の木製浴槽は、広い幅の側面と狭い幅の側面と端面とより成る短冊状の木製平板を複数枚用い、広い幅の側面を垂直とし、これによって浴槽を囲むようになると共に、その狭い幅の側面を水平として上下に積み重ねて固定し箱型のものとしている。【０００３】  既成の浴槽及び床面を取り外すことなく、天然板材で形成した木製槽体や木製床部を既成の浴槽及び床面に嵌合張設させることにより、浴槽や床面の交換、張り替え施工が簡易で、かつ施工経費も安価であることを目的として、浴室内に、少なくとも浴槽と洗い場を含む床面とが水漏れしない様に連設形成され、浴槽及び床面の表面には、天然板材より形成された木製槽体及び木製床部が嵌合張設されて成る木製浴槽を構成とすることが提案されている。（特許文献１参照）【０００４】  また浴槽は天然木の保温性の優れていること、移動できること、浴槽の一面が開閉することにより在宅介護を必要とする身体の不自由な人や老人の介護入浴に役立つもので、浴槽の開閉部にゴム板と空気も水も通さない特殊ファスナーを駆使して、木製浴槽の一面開閉を可能にしたものが報告されている。（特許文献２参照）【０００５】  さらに既存の風呂の設置箇所を改築して、新たに木製の浴槽を設置し、浴室の側壁材を木材素材とする壁面に簡易に改築のできる内組工法として、木製浴槽の上端縁の張出部の裏側に断面四角形の凹溝条を設け、エプロン部の上端に凹条溝に嵌合する立ち上り部を設け、立ち上り部と凹溝部を嵌合させ接触部にコーキング材を塗布して接合した木製浴槽が提案されている。（特許文献３参照）
【先行技術文献】
【特許文献】
【０００６】
【特許文献１】特開平５−９１９５３
【特許文献２】実開平６−６４６４１
【特許文献３】特開平７−２２４５５１
【考案の概要】
【考案が解決しようとする課題】
【０００７】一般に木製浴槽では、本来の日本的風呂になって、精神的癒しをもたらす。さらに軽量であって、場合によっては、可搬も可能である。最近家庭内で介護を行っている場合が多い。その場合に被介護人に入浴をさせるに、簡易で、可搬の浴槽が要望される。また精神的癒しも期待される。【０００８】また浴槽で水漏れが心配である。板の濡れ渇きにより、板幅に対しては伸び縮みを生じ、板厚に対しては厚さ方向に伸び縮みを生じることがないような木製浴槽を提案することである。【０００９】  木製浴槽では互いに隣接する板間に大きな隙間を生じ、水漏れが発生しないようにして、また、全体的に軽量で可搬性であって、しかも浴槽からの湯水のオーバーフローによって部屋内に水の汚れがないようにして、槽間に入った水はそのままそこにとどまり、部屋内で入浴ができるようにすることと、木材の腐り、耐久性で劣らないようにものを提供することにある。本考案はこのような欠点を除くようにしたものである。
【課題を解決する手段】
【００１０】木製の浴槽において、浴槽を二重構造になって、内部の浴槽を取り出し可能にしていることを特徴とするオーバーフロー可能な木製浴槽。木製の浴槽において、浴槽を二重構造になって、湯水がオーバーフローできって、外部の浴槽内に溢れるにしていて、内部浴槽より高くして、しかも内部浴槽と外部浴槽の隙間が３０〜７０％空いているオーバーフロー可能な木製浴槽である。
【００１１】木製の浴槽において、浴槽を二重構造になって、内部浴槽の容積を０．５〜２ｍ３であってしかも内部浴槽と外部浴槽の間隔を１０〜１００ｍｍになっている。木製の浴槽において、浴槽を二重構造になって外部の浴槽を、内部浴槽より３０〜１００ｍｍ高くしている。
【００１２】木製の浴槽において、浴槽を二重構造にし、外部の浴槽の底に排水口と固定脚を取り付けて、移動を可能にしているオーバーフロー可能な木製浴槽である。木製の浴槽において、浴槽の材質として、桐、檜、杉，ヒバであって、厚さ２０〜５０ｍｍの板材を使用しているオーバーフロー可能な木製浴槽である。
【００１３】  底壁と、側壁とよりなり、上記側壁が、広い幅の面を水平として上下に積重し狭い幅の面が浴槽内面となるようにした複数の木製平板により構成されていることを特徴とする木製浴槽である。
桐板の接合により、水漏れをなくする接続構造にしている。表面を被覆して三重構造にしている木製浴槽である。
【００１４】本考案の木製浴槽は、内浴槽と外浴槽からなって、内浴槽は底壁と、側壁とに木材の三重構造よりなり、上記側壁が、広い幅の面を水平として上下に積重し狭い幅の面が浴槽内面となるようにした複数の木製平板により構成されている。本考案の木製浴槽においては、上記積み重される上下の平板は水平方向に交互にずれていることを特徴とする。
【００１５】また、本考案の木製浴槽においては、上記積み重される各平板が複数の平板素子を側方に接続して形成し、その接続部が上下の平板において横方向にずれていることを特徴とする。
【考案の効果】
【００１６】  二重構造の木製の特徴：軽量、可搬、木の肌触り、溢れるお湯の感覚を味わい、お湯が冷めにくく、浴槽の清掃容易である。溢れたお湯が外にこぼれないこと、溢れるお湯の感覚を味わってもらいたいこと、二重構造でも、取り外すしが可能こと
【００１７】  上記のように本考案の木製浴槽によれば、浴槽を二重構造になって、湯水がオーバーフローできて、外部の浴槽内に溢れるようにしていて、内部浴槽より、浴槽間の狭い幅の側面に流れ込み、上下の外部と内部の浴槽板の接触面積が大きくなり、耐久性も大きくなる。また、浴槽が大きく水圧が増大する場合には側板の広い幅の大きさを大きくすることで浴槽の強度を増大できる。
【００１８】更に、積み重ねる平板の形状を変えることによって角風呂，丸風呂，小判型風呂，洋式浴槽状と任意の形状のものを容易に作ることができるようになる等大きな利益がある。
【図面の簡単な説明】
【００１９】
【図１】オーバーフロー可能な木製浴槽の斜視図
【図２】木製浴槽の組み立て及び断面の図  （Ａ）内浴槽と外浴槽との組み立て図  （Ｂ）全体組み立て図  （Ｃ）断面図  （Ｄ）板の断面図
【図３】オーバーフロー可能な木製浴槽の構造図  （Ａ）平面図  （Ｂ）正面図  （Ｃ）側面図
【考案を実施するための形態】
【００２０】以下図面によって本考案の実施例を説明する。
【００２１】本考案においては、図２に示すように短冊状桐木製平板を加工して、内浴槽と外浴槽とオーバーフロー部を製作して、前記の三者を組み立て、図１に示す箱型の浴槽を構成する。
【実施例１】スタンダードタイプの浴槽素材は、桐板を３枚貼り合わせ厚さ２５ｍｍで製作した。使用方法として露天風呂風に通常の家屋のテラスにおいて使用。お湯は給湯器で沸かして４０℃のものを５００Ｌ利用した。外側槽の木枠の寸法は、幅１２００ｍｍ×高さ９００ｍｍ×奥行き９００ｍｍであり、内側槽の木枠の寸法は、幅９５０ｍｍ×高さ７５０ｍｍ×奥行き７５０ｍｍであった。内側槽と外側槽の高さの差は８０ｍｍであって、オーバーフロー部の穴は、５０ｍｍ径のものを２０箇所空けて、隙間率が４０％空いている構造にしたので、外側槽からお湯は零れることはなかった。内側糟の排水口は閉じ、湯開閉バルブは開けて排水溝に流すようにした。このようにして入浴すると、外部にお湯が溢れないので、床がビシャビシャにならずに快適であった。家屋の中で露天風呂の感じを味わった。
【実施例２】スモールタイプの浴槽素材は、桐板を３枚貼り合わせ厚さ２５ｍｍで製作した。使用方法として、給湯設備、及び、排水溝がある室内での介護用に用いた。お湯は給湯器で沸かして４０℃のものを２８０Ｌ利用した。外側槽の木枠の寸法は、幅１５００ｍｍ×高さ５００ｍｍ×奥行き８００ｍｍであり、内側槽の木枠の寸法は、幅１２５０ｍｍ×高さ３５０ｍｍ×奥行き６５０ｍｍであった。内側槽と外側槽の高さの差は１００ｍｍであって、オーバーフロー部の穴は、５０ｍｍ径のものを２０箇所空けて、隙間率が４０％空いている構造にしたので、外側槽からお湯は零れることはなかった。内側糟の排水口は閉じ、湯開閉バルブは開けておくようにした。寝そべった状態にて入浴する。浴槽内の高さが低いので出入りが容易であり入浴者にも喜ばれた。
【実施例３】スモールタイプの浴槽を給湯設備、及び、排水溝がない室内での介護に利用した。スモールタイプの浴槽素材は、桐板を３枚貼り合わせ厚さ２５ｍｍで製作した。内側槽の排水口、湯開閉バルブ、共に閉じておいて、湯船にはホースで電気ヒータータイプの湯沸かし装置にて加熱した４０℃のお湯を２８０Ｌ入れた。外側槽の木枠の寸法は、幅１５００ｍｍ×高さ５００ｍｍ×奥行き８００ｍｍであり、内側槽の木枠の寸法は、幅１２５０ｍｍ×高さ３５０ｍｍ×奥行き６５０ｍｍであって、内側槽と外側槽の高さの差を１００ｍｍにした。オーバーフロー部の穴は、５０ｍｍ径のものを２０箇所空けたもので、隙間率が３５％空いている構造にした。入浴後は、湯開閉バルブにホースを繋ぎ、排水溝にお湯を捨てる。室内が濡れず、介護を受けている入浴者にも喜ばれた。
【実施例４】スモールタイプの浴槽にキャスター付け病院にて使用。スモールタイプの浴槽素材は、桐板を３枚貼り合わせ厚さ２５ｍｍで製作した。外側槽の木枠の寸法は、幅１５００ｍｍ×高さ５００ｍｍ×奥行き８００ｍｍであり、内側槽の木枠の寸法は、幅１２５０ｍｍ×高さ３５０ｍｍ×奥行き６５０ｍｍであった。オーバーフロー部の穴は、５０ｍｍ径のものを２５箇所空けたもので、隙間率が５０％空いている構造にした。内側槽の排水口、湯開閉バルブ、共に閉じておく。お湯は給湯器で沸かして４０℃のお湯を２８０Ｌ、病室外で湯船に入れて、そのまま病室まで移動させた。病室内にて入院患者が入浴した後には、排水溝のある場所まで移動させ、湯開閉バルブ開け、排水溝にお湯を排出させた。お湯は病室も濡れず、患者また看護士からも喜ばれた。
【実施例５】スタンダードタイプの浴槽素材は、桐板を３枚貼り合わせ厚さ２５ｍｍで製作した。外側槽の木枠の寸法は、幅１２００ｍｍ×高さ９００ｍｍ×奥行き９００ｍｍであり、内側槽の木枠の寸法は、幅９５０ｍｍ×高さ７５０ｍｍ×奥行き７５０ｍｍであった。オーバーフロー部の穴は、５０ｍｍ径のものを２０箇所空けたもので、隙間率が４０％空いている構造にした。内浴槽の取り出しは。真上に引き上げるのは困難である為、取り出す前に横に倒してから、内浴槽を取り出すと容易であった。
【実施例６】スタンダードタイプの浴槽素材は、桐板を３枚貼り合わせ厚さ２５ｍｍで製作した。外側槽の木枠の寸法は、幅１２００ｍｍ×高さ９００ｍｍ×奥行き９００ｍｍであり、内側槽の木枠の寸法は、幅９５０ｍｍ×高さ７５０ｍｍ×奥行き７５０ｍｍであった。オーバーフロー部の穴は、４５ｍｍ径のものを２５箇所空けたもので、隙間率が４５％空いている構造にした。外浴槽、内浴槽は、個別に使用することも可能である。
【実施例７】スタンダードタイプの浴槽素材は、ヒノキ板を３枚貼り合わせ厚さ２５ｍｍで製作した。外側槽の木枠の寸法は、幅１２００ｍｍ×高さ９００ｍｍ×奥行き９００ｍｍであり、内側槽の木枠の寸法は、幅９５０ｍｍ×高さ７５０ｍｍ×奥行き７５０ｍｍであった。オーバーフロー部の穴は、５０ｍｍ径のものを２０箇所空けたもので、隙間率が４０％空いている構造にした。浴槽素材をヒノキにしたら、ヒノキの特有の香りが際だった。
【符号の説明】
【０００１】１．内浴槽
２．外浴槽
３．オーバーフロー部
４．内浴槽の排出口
５．補強材部
６．キャスター
７．外浴槽の排出口
８．溢湯
９．湯開閉めバルブ
【図１】
0003163206.tif 000003
【図２】
0003163206.tif 000004
【図３】
0003163206.tif 000005
【手続補正書】
【提出日】平成22年5月21日(2010.5.21)
【手続補正１】
【補正対象書類名】実用新案登録請求の範囲
【補正対象項目名】全文
【補正方法】変更
【補正の内容】
【実用新案登録請求の範囲】
【請求項１】
木製の浴槽において、浴槽を二重構造になって、内部の浴槽を取り出し可能にしていることを特徴とするオーバーフロー可能な木製浴槽。
【請求項２】
木製の浴槽において、浴槽を二重構造になって、湯水がオーバーフローできて、外部の浴槽内に溢れるようにしていて、内部浴槽より高くして、しかも内部浴槽と外部浴槽との隙間に敷いているオーバーフロー用板が３０〜７０％の範囲で開いていることを特徴とする請求項１に記載のオーバーフロー可能な木製浴槽
【請求項３】
木製の浴槽において、浴槽を二重構造になって、内部浴槽の容積を０．５〜２立方メートルであって、しかも内部浴槽と外部浴槽との間隔を１０〜１００ｍｍにしていることを特徴とする請求項１又は請求項２に記載のオーバーフロー可能な木製浴槽
【請求項４】
木製の浴槽において、浴槽を二重構造になって外部の浴槽の側面を、内部浴槽より３０〜１００ｍｍ高くしていることを特徴とする請求項１〜請求項３にいずれかに記載のオーバーフロー可能な木製浴槽
【請求項５】
木製の浴槽において、浴槽を二重構造にし、外部の浴槽の底に排水口と固定脚を取り付けて、移動を容易にしていることを特徴とする請求項１〜請求項４のいずれかに記載のオーバーフロー可能な木製浴槽
【請求項６】
木製の浴槽において、浴槽の材質として、桐、檜、杉，ヒバであって、厚さ２０〜５０ｍｍの板材を使用していることを特徴とする請求項１〜請求項５のいずれかに記載のオーバーフロー可能な木製浴槽
【手続補正書】
【提出日】平成22年7月15日(2010.7.15)
【手続補正１】
【補正対象書類名】実用新案登録請求の範囲
【補正対象項目名】全文
【補正方法】変更
【補正の内容】
【実用新案登録請求の範囲】
【請求項１】
木製の浴槽において、浴槽を二重構造になって、内部の浴槽を取り出し可能にしていることを特徴とするオーバーフロー可能な木製浴槽。
【請求項２】
木製の浴槽において、浴槽を二重構造になって、湯水がオーバーフローできて、外部の浴槽内に溢れるようにしていて、内部浴槽より高くして、しかも内部浴槽と外部浴槽との隙間に敷いているオーバーフロー用板に面積当たり３０〜７０％範囲で板面を切り抜いた湯水通過の空間部を設けていることを特徴とする請求項１に記載のオーバーフロー可能な木製浴槽
【請求項３】
木製の浴槽において、浴槽を二重構造になって、内部浴槽の容積を０．５〜２立方メートルであって、しかも内部浴槽と外部浴槽との間隔を１０〜１００ｍｍにしていることを特徴とする請求項１又は請求項２に記載のオーバーフロー可能な木製浴槽
【請求項４】
木製の浴槽において、浴槽を二重構造になって外部の浴槽の側面を、内部浴槽より３０〜１００ｍｍ高くしていることを特徴とする請求項１〜請求項３にいずれかに記載のオーバーフロー可能な木製浴槽
【請求項５】
木製の浴槽において、浴槽を二重構造にし、外部の浴槽の底に排水口と固定脚を取り付けて、移動を容易にしていることを特徴とする請求項１〜請求項４のいずれかに記載のオーバーフロー可能な木製浴槽
【請求項６】
木製の浴槽において、浴槽の材質として、桐、檜、杉，ヒバであって、厚さ２０〜５０ｍｍの板材を使用していることを特徴とする請求項１〜請求項５のいずれかに記載のオーバーフロー可能な木製浴槽